(57)【要約】【解決課題】放射性セシウムに加えてアンモニウムイオンを含む放射性廃液からの二次汚染物の発生量を削減できる除染方法及び装置を提供する。【解決手段】放射性セシウムに加えてアンモニウムイオンを含む放射性廃液をアルカリ性域に調整して、当該放射性廃液中のアンモニウムイオンを低減させた後に、当該放射性廃液中の放射性セシウムを吸着除去する。【選択図】図１
2014001957.tif 000002
【特許請求の範囲】
【請求項１】
放射性セシウムに加えてアンモニウムイオンを含む放射性廃液をアルカリ性域に調整して、当該放射性廃液中のアンモニウムイオンを低減させた後に、当該放射性廃液中の放射性セシウムを吸着除去する、放射性廃液の除染方法。
【請求項２】
放射性セシウムに加えてアンモニウムイオンを含む放射性廃液をＯＨ型強塩基性アニオン交換樹脂と接触させて、当該放射性廃液をアルカリ性域に調整する、請求項１に記載の放射性廃液の除染方法。
【請求項３】
前記放射性廃液は、放射性セシウムで汚染された放射能汚染固体を、少なくともフッ素イオンとアンモニウムイオンとを含む酸性の処理液と接触させて、当該放射能汚染固体からセシウムイオンを液相に溶出させることによって得られる、請求項１又は２に記載の放射性廃液の除染方法。
【請求項４】
前記放射性廃液のｐＨを９．２５未満に調整して、沈殿物を生じさせる第一ｐＨ調整工程と、
生じた沈殿物を分離する固液分離工程と、
固体を分離した後の放射性廃液のｐＨを９．２５以上に調整する第二ｐＨ調整工程と、を含む、請求項１〜３のいずれかに記載の放射性廃液の除染方法。
【請求項５】
放射性セシウムに加えてアンモニウムイオンを含む放射性廃液をアルカリ性に調整するｐＨ調整槽と、アンモニウムイオンが低減された当該放射性廃液中の放射性セシウムを吸着する放射性セシウム吸着塔と、を具備する、放射性廃液の除染装置。
【請求項６】
前記ｐＨ調整槽は、前記放射性廃液のｐＨを９．２５未満に調整する第一ｐＨ調整槽と、その後、放射性廃液のｐＨを９．２５以上に調整する第二ｐＨ調整槽と、を含む、請求項５に記載の放射性廃液の除染装置。
【請求項７】
放射性セシウムで汚染された放射能汚染固体と、フッ素イオン及びアンモニウムイオンを含む酸性の処理液と、を接触させて、セシウムイオンを液相中に溶出させて放射性廃液を形成させる処理容器と、
当該放射性廃液を固液分離する固液分離装置と、
当該放射性廃液のｐＨをアルカリ性域に調整するｐＨ調整槽と、
アルカリ性の当該放射性廃液からセシウムイオンを吸着除去する放射性セシウム吸着塔と、
を具備する放射性廃液の除染装置。
【請求項８】
前記ｐＨ調整槽は、前記放射性廃液のｐＨを９．２５未満に調整する第一ｐＨ調整槽と、ｐＨを９．２５以上に調整する第二ｐＨ調整槽と、を含む、請求項７に記載の放射性廃液の除染装置。
【請求項９】
前記第一ｐＨ調整槽は、前記固液分離装置の上流に位置づけられており、
前記第二ｐＨ調整槽は、前記固液分離装置の下流に位置づけられている、請求項８に記載の放射性廃液の除染装置。
【請求項１０】
さらに、前記放射性セシウム吸着塔の上流に、ｐＨ調整槽にてアルカリ性域に調整された放射性廃液からアンモニウムイオンを除去するアンモニアストリッピング装置が位置づけられている、請求項７〜９のいずれかに記載の放射性廃液の除染装置。
【発明の詳細な説明】
【技術分野】
【０００１】
本発明は、放射性セシウムを含む放射性廃液の除染方法及び装置に関し、特に、放射性セシウムで汚染された放射能汚染固体の除染により発生する放射性廃液の処理方法及び装置に関する。
【背景技術】
【０００２】
2011年3月に発生した東日本大震災による福島第一原子力発電所の事故により飛散した放射性セシウムが土壌に蓄積していることから、土壌除染処理技術が種々提案されている。典型的な土壌除染処理は、土壌を酸水溶液に加えて、酸水溶液中にセシウムイオンを溶出させ、次いでセシウムイオンを吸着材に吸着して除去する。本発明者らは、放射性セシウム汚染土壌の除染方法として、フッ素イオンとアンモニウムイオン又はカリウムイオンとを含む処理液と接触させて、セシウムイオンを溶出させて除去する除染方法を提案している（非特許文献１）。
【０００３】
セシウム汚染土壌の除染方法においては、溶出したセシウムイオンを含む放射性廃液が発生する。かかる放射性廃液からセシウムイオンを除去するために、吸着材が用いられる。セシウムに対する選択的吸着性に優れる吸着材として、ゼオライトやブルシアンブルーが知られている。中でもプルシアンブルーナノ粒子吸着材は、他の吸着材に比べて、ナトリウムイオンやカリウムイオンなどの陽イオンが混在する場合でもセシウムイオンを選択的に吸着できるとされている（非特許文献２）。しかし、土壌除染処理において発生する溶出液中に含まれるセシウムイオンはきわめて微量であるため、選択性が高い吸着材といえども、大量に含まれるカリウムイオンなどのセシウムイオンと同程度のイオン半径を有する陽イオンにより、セシウムイオンの吸着が阻害されてしまう。
【０００４】
したがって、大量の放射性廃液からセシウムイオンを吸着するためには大量の吸着剤が必要となり、結果的に放射性セシウムを吸着した放射性廃棄吸着材が発生してしまうことになる。
【先行技術文献】
【非特許文献】
【０００５】
【非特許文献１】「土壌からの放射性セシウム除去技術の開発（第1報）」二見賢一ら、第1回環境放射能除染研究発表会要旨集、2012年5月19日〜21日、p34
【非特許文献２】独立行政法人産業技術総合研究所ウェブサイト＜研究紹介・成果＞2011年8月31日発表http://www.aist.go.jp/aist_j/press_release/pr2011/pr20110831/pr20110831.html
【発明の概要】
【発明が解決しようとする課題】
【０００６】
放射性セシウムで汚染された土壌等の放射能汚染固体の除染処理によって発生する放射性廃液からのセシウムイオンの吸着率を向上させ、二次汚染物となるセシウム汚染吸着材の発生量を削減することが求められている。したがって、本発明の目的は、放射性セシウムに加えてアンモニウムイオンを含む放射性廃液からの二次汚染物の発生量を削減できる除染方法及び装置を提供することにある。
【課題を解決するための手段】
【０００７】
上記課題を解決するため、鋭意研究した結果、放射性セシウムに加えて高濃度のアンモニウムイオンを含む放射性廃液のｐＨをアルカリ性域に調整することによって、アンモニウムイオン濃度を低減させた後に、吸着材に放射性廃液を接触させることで、当該吸着材がセシウムイオンを選択的に効率よく吸着でき、吸着材の使用量を削減できることを知見し、本発明を完成するに至った。
【０００８】
また、放射性廃液のｐＨ調整のために、一般的な水酸化ナトリウムなどのアルカリ剤を用いるのではなく、ＯＨ型陰イオン交換樹脂を用いることで、吸着を阻害する陽イオンを増加させることなく、吸着効率を低下させないことを見出した。
【０００９】
具体的には、本発明によれば、放射性セシウムに加えてアンモニウムイオンを含む放射性廃液をアルカリ性域に調整して、当該放射性廃液中のアンモニウムイオンを低減させた後に、当該放射性廃液中の放射性セシウムを吸着除去する、放射性廃液の除染方法が提供される。
【００１０】
放射性セシウムに加えてアンモニウムイオンを含む放射性廃液をＯＨ型強塩基性アニオン交換樹脂と接触させて、当該放射性廃液をアルカリ性域に調整することができる。
前記放射性廃液は、放射性セシウムで汚染された放射能汚染固体を、少なくともフッ素イオンとアンモニウムイオンとを含む酸性の処理液と接触させて、当該放射能汚染固体からセシウムイオンを液相に溶出させることによって得られる放射性廃液であることが好適である。
【００１１】
本発明の除染方法は、前記放射性廃液のｐＨを９．２５未満に調整して、沈殿物を生じさせる第一ｐＨ調整工程と、生じた沈殿物を分離する固液分離工程と、固体を分離した後の放射性廃液のｐＨを９．２５以上に調整する第二ｐＨ調整工程と、を含むことが好ましい。
【００１２】
また本発明によれば、放射性セシウムに加えてアンモニウムイオンを含む放射性廃液をアルカリ性に調整するｐＨ調整槽と、アンモニウムイオンが低減された当該放射性廃液中の放射性セシウムを吸着する放射性セシウム吸着塔と、を具備する、放射性廃液の除染装置が提供される。
【００１３】
前記ｐＨ調整槽は、前記放射性廃液のｐＨを９．２５未満に調整する第一ｐＨ調整槽と、その後、放射性廃液のｐＨを９．２５以上に調整する第二ｐＨ調整槽と、を含むことが好ましい。
【００１４】
さらに本発明によれば、放射性セシウムで汚染された放射能汚染固体と、フッ素イオン及びアンモニウムイオンを含む酸性の処理液と、を接触させて、セシウムイオンを液相中に溶出させて放射性廃液を形成させる処理容器と、当該放射性廃液を固液分離する固液分離装置と、当該放射性廃液のｐＨをアルカリ性域に調整するｐＨ調整槽と、アルカリ性の当該放射性廃液からセシウムイオンを吸着除去する放射性セシウム吸着塔と、を具備する放射性廃液の除染装置が提供される。
【００１５】
前記ｐＨ調整槽は、前記放射性廃液のｐＨを９．２５未満に調整する第一ｐＨ調整槽と、ｐＨを９．２５以上に調整する第二ｐＨ調整槽と、を含むことが好ましい。
前記第一ｐＨ調整槽は、前記固液分離装置の上流に位置づけられており、前記第二ｐＨ調整槽は、前記固液分離装置の下流に位置づけられていることが好適である。
【００１６】
さらに、前記放射性セシウム吸着塔の上流に、ｐＨ調整槽にてアルカリ性域に調整された放射性廃液からアンモニウムイオンを除去するアンモニアストリッピング装置が位置づけられていることが好ましい。
【発明の効果】
【００１７】
本発明によれば、放射性セシウムとアンモニウムイオンを含む放射性廃液をゼオライトやプルシアンブルーなどのセシウムを選択的に吸着できる吸着材と接触させることにより放射性セシウムを吸着する前に、放射性廃液のｐＨをアルカリ性域に調整することで、セシウムイオンの吸着阻害要因となるアンモニウムイオンを低減させ、セシウムを吸着材に効率よく吸着させることができるため、最終的な放射性廃棄物を大幅に減容化することができる。
【図面の簡単な説明】
【００１８】
【図１】図１は、本発明の放射性廃液の除染方法の一実施形態を示す概略処理フローである。
【図２】図２は、実施例及び比較例における平衡吸着等温線を示すグラフである。
【好ましい実施形態】
【００１９】
本発明の放射性廃液の除染方法は、特に本発明者らが提案した放射性セシウム汚染固体の除染方法において発生する放射性廃液の処理に適する。以下、放射性セシウム汚染土壌の除染方法を例にして、本発明を詳細に説明する。
【００２０】
放射性セシウム汚染土壌をフッ素イオン及びアンモニウムイオン、カリウムイオン又はナトリウムイオンなどの陽イオンを含む酸性の処理液と接触させて、セシウムイオンを液相に溶出させる場合、液相中の初期陽イオンは合計で０．１ｇ／Ｌ以上の高濃度で存在させることが好ましい。このような高濃度の陽イオンは、セシウムイオンを吸着材に吸着させる際に阻害要因となる。たとえば、アンモニウムイオンＮＨ４＋は水溶液中で以下の式（1）に示す平衡状態で存在している。
【００２１】
【化１】
2014001957.tif 000003
ここで、［Ｈ＋］＝１０−９．２５ＭすなわちｐＨ９．２５であると仮定すると、
【００２２】
【化２】
2014001957.tif 000004
すなわち、ｐＨ９．２５の時に［ＮＨ３］：［ＮＨ４＋］＝１：１となる。
【００２３】
同様に[H+] = 10-10.25MすなわちｐＨ10.25であると仮定すると、
【００２４】
【化３】
2014001957.tif 000005
すなわち、ｐＨ１０．２５の時に［ＮＨ３］：［ＮＨ４＋］＝１０：１となる。
【００２５】
式（１）〜（３）より、ｐＨをアルカリ性域、特に９．２５以上とすることで、処理液中のアンモニウムイオン濃度を低下させ、処理液中の陽イオンを低減させて放射性廃液中のセシウムの吸着容量を向上させることができる。
【００２６】
また、アンモニウムイオンが高ｐＨ条件下で移行するアンモニアＮＨ３は揮発性であり、アンモニアストリッピングによって液中から除くことができる。アンモニアストリッピングの操作を加えることで、式(1)左辺の分子の値を更に小さくし、アンモニウムイオン濃度を更に効率的に低減させることができる。
【００２７】
この場合、中性から弱アルカリ性の領域において、土壌から溶解した成分の一部が処理液中から析出し、沈殿してくる。この沈殿物は土壌由来の成分であるため、土壌と類似のセシウム吸着性能を有しており、アンモニウムイオンが存在すると沈殿物へのセシウムの移行が阻害される。このため、沈殿物はアンモニウムイオン濃度が低下する前、すなわちｐＨが９．２５よりも高くなる前に除去しておく必要がある。沈殿物を除去せずにｐＨを９．２５よりも高くし、さらにアンモニアストリッピングを行うと、放射性セシウムが沈殿物のほうに移行吸着し、新たな放射性廃棄物を発生させることになる。なお、ｐＨの上昇によって沈殿物が発生しない場合には、上記の新たな放射性廃棄物の問題は生じない。
【００２８】
本発明では、目的とする吸着容量にもよるが、吸着材と接触させる際の放射性廃液中のアンモニウムイオン濃度を５００ｍｇ／Ｌ以下とすることが好ましい。このため、放射性廃液のｐＨは一般のアンモニアストリッピング法で使用される値（例えばｐＨ１０程度）が好ましい。
【００２９】
一般に、薬品添加によりアルカリ性域にする場合は、水酸化ナトリウムや水酸化カルシウムが用いられる。水酸化ナトリウムを用いると、ナトリウムイオンはアンモニウムイオンやカリウムイオンに比べてセシウムイオンに対する吸着阻害性は低いものの、陽イオンであるため吸着阻害の要因となる。また、水酸化カルシウムを用いると、炭酸カルシウムや硫酸カルシウムなどの沈殿物が発生する。特に、放射能汚染固体の除染処理液として、硫酸を使用する場合には大量の硫酸カルシウムが発生することになる。これらの問題を解決するためには、薬品を添加せずに放射性廃液のｐＨをアルカリ性域に調整することが望ましい。本発明では、ＯＨ型の陰イオン交換樹脂と接触させることが好適である。
【００３０】
放射性廃液から放射性セシウムを吸着させるために用いるセシウム吸着剤としては、選択性の高いゼオライトやプルシアンブルーなどが好適である。
［放射性廃液の除染フロー］
次に、図１を参照しながら、本発明による放射性廃液の除染方法を説明する。図１上段はアンモニアストリッピングを用いる除染フローであり、図１下段はアンモニアストリッピングを用いない除染フローを示す。共に、放射性廃液は、放射能汚染土壌をフッ素イオン及びアンモニウムイオンを含む処理液で除染処理した結果発生する放射性セシウム及びアンモニウムイオンを含む。
【００３１】
図１上段において、放射性セシウム及びアンモニウムイオンを含む放射性廃液は、第一ｐＨ調整槽にて９．２５未満のｐＨとなるように調整される。この際、土壌由来の沈殿物が形成されるため、固液分離装置にて沈殿物を除去する。固液分離装置にて分離された液相である放射性廃液は、第二ｐＨ調整槽にて９．２５以上のｐＨとなるように調整される。ｐＨ調整により、アンモニウムイオン[NH4+]がアンモニア[NH3]になるため、放射性廃液中のアンモニウムイオンは低減される。次いで、アンモニアを含む放射性廃液をアンモニアストリッピング塔の上部から導入して、アンモニアストリッピング塔下部から導入するスチームと接触させ、放射性廃液中のアンモニアを除去する。アンモニウムストリッピングによりアンモニアが除去され、アンモニウムイオンが低減された放射性廃液を、放射性セシウム吸着塔にて吸着材と接触させて、セシウムイオンを吸着除去する。なお、アンモニアストリッピング塔にて除去されたアンモニアは、スチームと共に塔上部から排気され、冷却塔（図示せず）で凝縮されてアンモニア水として回収することができる。回収したアンモニア水は、除染薬品として再利用することもできる。
【００３２】
第一ｐＨ調整槽及び第二ｐＨ調整槽におけるｐＨ調整には、ＯＨ型のアニオン交換樹脂を用いることが好ましい。ＯＨ型のアニオン交換樹脂は、アルカリ性でもアニオン交換が可能な強塩基性のものが好ましい。具体的には、実施例で用いたマクロポーラス形タイプＩ型でスチレン−ジビニルベンゼンを母体としてトリメチルアミンを交換基とする樹脂であるダウ・ケミカル日本（株）製、DOWEX MONOSPIRE 550ANが好ましく、さらには再生効率や物理的安定性の観点からマクロポーラス形タイプＩＩ型でスチレン−ジビニルベンゼンを母体としてジメチルエタノールアミンを交換基とする樹脂であるダウ・ケミカル日本（株）製、ダウエックスMSA-2もしくはレバチット（製）MP-600がより好ましい。また、第一ｐＨ調整槽においてはｐＨを１〜９．２５未満に調整するのに適切な量の樹脂が必要であり、第二ｐＨ調整槽ではｐＨを９．２５〜１１程度に調整するのに適切な量の樹脂が必要である。この樹脂の使用量は樹脂の種類、処理する土壌の種類や土質、水質により異なる。アニオン交換樹脂は使用により交換性能が低下するため、アルカリ剤で再生することが必要になり、別途再生装置を用いることが好ましい。再生は回分的に行ってもよいし、連続的に再生する装置を用いてもよい。アニオン交換樹脂にはセシウムイオンは吸着されないので、再生前に水洗浄をすることだけでセシウムイオンを洗い流すことができ、アニオン交換樹脂の再生廃液の放射能濃度は問題とならない。
【００３３】
セシウム吸着剤はゼオライト系の吸着剤やプルシアンブルーのようなフェロシアン化物がセシウム選択性が高く好適である。ゼオライト系の化合物は、種類により性能が大きく異なるものの、液性にあった吸着剤を選択すればよい。なお、フッ素イオンを含む処理液による汚染土壌の除染で発生する放射性廃液には、ゼオライトよりプルシアンブルーのセシウム吸着能力が優れている。放射性セシウム吸着処理後の処理水は、処理プロセスの中で再利用してもよいし、クリアランスレベルまで放射能濃度を低減した後は環境中に放流することができる。
【００３４】
［放射性廃液除染装置］
本発明の放射性廃液除染装置は、放射性セシウムに加えてアンモニウムイオンを含む放射性廃液をアルカリ性に調整するｐＨ調整槽と、アンモニウムイオンが低減された当該放射性廃液中の放射性セシウムを吸着する放射性セシウム吸着塔と、を具備する。
【００３５】
また、本発明の放射性廃液除染装置は、放射性セシウムで汚染された放射能汚染固体と、フッ素イオン及びアンモニウムイオンを含む酸性の処理液と、を接触させて、セシウムイオンを液相中に溶出させて放射性廃液を形成させる処理容器と、当該放射性廃液を固液分離する固液分離装置と、当該放射性廃液のｐＨをアルカリ性域に調整するｐＨ調整槽と、アルカリ性の当該放射性廃液からセシウムイオンを吸着除去する放射性セシウム吸着塔と、を具備する。
【００３６】
いずれの除染装置においても、ｐＨ調整槽は、前記放射性廃液のｐＨを９．２５未満に調整する第一ｐＨ調整槽と、その後、放射性廃液のｐＨを９．２５以上に調整する第二ｐＨ調整槽と、を含むことが好ましい。さらに、第一及び第二のｐＨ調整槽には、ＯＨ型の強塩基性アニオン交換樹脂が充填されていることが好ましい。また、放射性セシウム吸着塔には、プルシアンブルー又はゼオライトなどのセシウム吸着材が充填されていることが好ましい。
【００３７】
また、いずれの除染装置においても、放射性セシウム吸着塔の上流にアンモニアストリッピング塔を設けることが、好ましく、第二ｐＨ調整槽の下流に設けることがより好ましい。
【００３８】
ｐＨ調整槽で発生する固形物の固液分離装置としては、特に限定されず通常の固液分離装置を用いることができ、例えばカートリッジフィルター、砂ろ過装置、膜ろ過装置、遠心分離装置があるが、装置の運転管理の容易さの観点から傾斜板つき重力沈殿装置が好ましい。
【実施例】
【００３９】
以下、実施例及び比較例により本発明を具体的に説明するが、本発明はこれらに限定されるものではない。
［放射性廃液の調製］
１wt％の酸性フッ化アンモン（ＮＨ４Ｆ・ＨＦ）と８．７wt％の塩化アンモニウム（ＮＨ４Ｃｌ）を含む処理液中に、３wt％のスラリー濃度となるように放射性セシウム汚染土壌の細粒分（７５μｍ以下）を入れて約１０分攪拌処理して、放射性セシウムを液相に抽出した後に、ろ過して土壌細粒分を除き、放射性廃液を得た。この放射性廃液のｐＨは約３．５であった。
【００４０】
［実施例１］
調製した放射性廃液に、第一ｐＨ調整槽にてＯＨ型のアニオン交換樹脂（ダウ・ケミカル日本（株）製、DOWEX MONOSPIRE 550AN）を放射性廃液１ｋｇあたり１２００ｍｌ添加してｐＨ９．０４のアルカリ性にした後に、樹脂および発生した沈殿物をろ紙（Ｗｈａｔｍａｎ製、ＧＦ／Ｂ）でろ過して除去し、そのろ液に、第二ｐＨ調整槽にてＯＨ型のアニオン交換樹脂（ダウ・ケミカル日本（株）製、DOWEX MONOSPIRE 550AN）を放射性廃液１ｋｇあたり１１００ｍｌ添加してｐＨ１０．９３のアルカリ性にしてから、エアバブリングによりアンモニアを飛ばしたものをアンモニアストリッピング水として吸着試験に供した。
【００４１】
吸着試験は、放射性廃液約１００ｍｌに対して、液／吸着剤倍率が表に示す所定の比率となるように吸着剤を添加し、吸着平衡に達するまで数時間以上ビーカ内で攪拌した。吸着試験後にろ過して吸着剤を分離し、ろ液の放射能を測定した。吸着試験の条件及び放射能測定結果を表１に示す。
【００４２】
吸着剤は、ゼオライト（ユニオン昭和（株）製  ＩＥ−９６）もしくはプルシアンブルー（大日精化工業（株）製  ＭＩＬＯＲＩＢＬＵＥ９０５）を粉砕して用いた。
【００４３】
【表１】
2014001957.tif 000006
表１に示される総ＮＨ３は実測値であり、アンモニア（ＮＨ３）とアンモニウムイオン（ＮＨ４＋）の合計値である。当該ｐＨにおけるＮＨ４＋の理論存在濃度を括弧内に示す。
【００４４】
吸着材としてプルシアンブルーを使用した場合、放射性廃液１００ｍｌに対し０．１ｇの添加でＣｓ１３７が４２Ｂｑ／ｋｇ、Ｃｓ１３４が３５Ｂｑ／ｋｇ、全放射能濃度が７７Ｂｑ／ｋｇまで低下し、排水基準（Ｃｓ１３７：９０Ｂｑ／ｋｇ、Ｃｓ１３４：６０Ｂｑ／ｋｇ）以下とすることができた。吸着材としてゼオライトを使用した場合、放射性廃液１００ｍｌに対し１ｇの添加で排水基準以下とすることができた。
【００４５】
［実施例２］
調製した放射性廃液に水酸化カルシウム（Ｃａ（ＯＨ）２）を５．５３g添加して、放射性廃液をアルカリ性にした後に、発生した沈殿物をろ過して除去し、そのろ液を吸着試験に供した。吸着試験の条件及び放射能測定結果を表２に示す。
【００４６】
【表２】
2014001957.tif 000007
表２に示される総ＮＨ3は実測値であり、アンモニア（ＮＨ３）とアンモニウムイオン（ＮＨ４＋）の合計値である。当該ｐＨにおけるＮＨ４＋の理論存在濃度を括弧内に示す。
【００４７】
吸着材としてプルシアンブルーを使用した場合、放射性廃液１００ｍｌに対し０．１７ｇの添加でＣｓ１３７が５０Ｂｑ／ｋｇ、Ｃｓ１３４が３８Ｂｑ／ｋｇ、全放射能濃度が８８Ｂｑ／ｋｇまで低下し、排水基準（Ｃｓ１３７：９０Ｂｑ／ｋｇ、Ｃｓ１３４：６０Ｂｑ／ｋｇ）以下とすることができた。吸着材としてゼオライトを使用した場合、放射性廃液１００ｍｌに対し１ｇの添加で排水基準以下とすることができた。
【００４８】
実施例２では、アンモニアストリッピングを行っていないため、吸着試験に供した放射性廃液中の総ＮＨ3濃度は、実施例1の放射性廃液と比較して３０倍近く高い。しかし、放射性廃液のｐＨを１２．２１と実施例１よりも高く設定したことでＮＨ４＋濃度は低く抑えることができた。
【００４９】
［比較例１］放射性廃液のｐＨを調製せず、アンモニアストリッピングも行わない場合の除染効果
放射性廃液のｐＨを調整せず、直接吸着材と接触させた。条件及び結果を表３に示す。
【００５０】
【表３】
2014001957.tif 000008
放射性廃液１００ｍｌに対して吸着材を１０ｇ添加しても、排水基準を満足できなかった。
【００５１】
［比較例２］放射性廃液のｐＨをアルカリ性域に調製しない場合の除染効果
放射性廃液に水酸化カルシウム（Ｃａ（ＯＨ）２）を０．８７g添加して中和し、発生した沈殿を除去した後、吸着試験に供した。条件及び結果を表４に示す。
【００５２】
【表４】
2014001957.tif 000009
表４に示される総ＮＨ3は実測値であり、アンモニア（ＮＨ３）とアンモニウムイオン（ＮＨ４＋）の合計値である。当該ｐＨにおけるＮＨ４＋の理論存在濃度を括弧内に示す。
【００５３】
吸着材としてゼオライトを使用した場合、放射性廃液１００ｍｌに対して１０ｇ添加することで、排水基準を満足できなかった。吸着材としてプルシアンブルーを使用した場合、放射性廃液１００ｍｌに対して１０ｇ添加することで排水基準以下とすることができた。
【００５４】
実施例１〜２及び比較例１〜２において吸着材としてプルシアンブルーを使用した場合の平衡吸着等温線を図２に示す。実施例では、放射性セシウムの吸着量が大きくなる傾向が顕著であり、同量の放射性セシウムを吸着除去するために使用する吸着剤の量を削減できることがわかる。
【００５５】
［実施例３］
放射性廃液からの沈殿物へのセシウム移行とｐＨとの関係を把握するため、ｐＨ調整後の沈殿物の放射能濃度を測定した。
【００５６】
放射性廃液にＯＨ型のアニオン交換樹脂（ダウ・ケミカル日本（株）製、DOWEX MONOSPIRE 550AN）を添加してｐＨを所定の値（ｐH８、９および１１）に調整した後、アニオン交換樹脂と発生した沈殿物を篩（目開き125μｍ）で分け、それぞれ、ろ紙（Ｗｈａｔｍａｎ製、ＧＦ／Ｂ）でろ過して、アニオン交換樹脂および沈殿物の放射能濃度を測定した。結果を表５に示す。
【００５７】
【表５】
2014001957.tif 000010
表５に示される総ＮＨ3はｐＨ調整後のろ液の実測値であり、アンモニア（ＮＨ３）とアンモニウムイオン（ＮＨ４＋）の合計値である。当該ｐＨにおけるＮＨ４＋の理論存在濃度を括弧内に示す。
【００５８】
放射性廃液からの沈殿物発生はｐＨ５付近から生じ始め、ｐＨ８までにほぼ完了した。ｐＨ８及びｐＨ９に調整した放射性廃液から回収した沈殿物の放射能濃度は、ｐＨ１１に調整した放射性廃液から回収した沈殿物の放射能濃度の１／３０〜１／４０程度である。この時の分離後のろ液の理論的アンモニウムイオン（ＮＨ４＋）存在濃度はｐＨ８およびｐＨ９ではそれぞれ２２０００ｍｇ／Ｌ、１２０００ｍｇ／Ｌ、ｐＨ１１では２６０ｍｇ／Ｌである。共存するアンモニウムイオン（ＮＨ４＋）濃度が高い場合、固形物（沈殿物）への放射性セシウムの吸着は阻害されるが、アンモニウムイオン（ＮＨ４＋）濃度の低い場合、放射性セシウムの固形物への吸着が促進されることがわかる。２５℃におけるアンモニウムイオンとアンモニアの存在割合は、ｐＨ９．２５を越えるとアンモニウムイオンの存在割合がアンモニアよりも極端に低くなっていくので、その結果として本実施例に示すように、ｐＨ９を超える条件までｐＨを上昇させてから沈殿物を回収すると、沈殿物が放射能で再汚染されてしまうことが確認された。すなわち、第一ｐＨ調整槽におけるｐＨは９．２５未満とすることが望ましいことが確認された。
【産業上の利用可能性】
【００５９】
本発明の除染方法によれば、プルシアンブルーやゼオライトなどの放射性セシウム吸着材の吸着効率を低下させずに少量の吸着材で十分に吸着できるので、二次放射性廃棄物としての放射性吸着材の発生量を大幅に低減することができ、放射性セシウム汚染物の除染方法として有用である。
【図１】
2014001957.tif 000011
【図２】
2014001957.tif 000012